(57)【要約】【課題】  絡みやすいコイルばね等のばね、特に長寸法のばねを縦糸に相当するテープに織り込むことにより、ばねの相互の絡みを防止するように構成したばね梱包体を提供する。【解決手段】  紙テープ１，２を少なくとも３列に並べ、各々隣り合う紙テープ１，２によりばね１０を織り込み、これを交互に繰り返し、ばね１０を紙テープ１，２で梱包するように構成されている。そのため、隣り合うばね１０が絡み合うことは皆無となるばかりか、隣接する紙テープ１，２を交互に拡げて構築される空間にばね１０を挿入することにより容易にばね１０の梱包ができる。また、梱包後のばね１０を収納する際にも、ばね１０の絡みは皆無となる。しかも、少なくとも３列の紙テープ１，２を複数箇所設けてその間隔を調整することにより、長寸法のばね１０にも簡単に対応でき、紙テープ１，２の在庫も最小限でよい。その上、紙テープ１，２を耐熱紙としておけば、熱処理後のばね１０の残熱による影響を受けることがないため、梱包時間を短縮することができる。【選択図】  図１
2005053574.tif 000002
【特許請求の範囲】
【請求項１】
テープを少なくとも３列に並べ、各々隣り合うテープによりばねを織り込み、これを交互に繰り返し、ばねをテープに織り込んだことを特徴とするばね梱包体。
【請求項２】
テープは紙テープであることを特徴とする請求項１に記載のばね梱包体。
【請求項３】
奇数列のテープに交互に折り目を付けたことを特徴とした請求項１または２に記載のばね梱包体。
【請求項４】
偶数列のテープ厚を奇数列のそれより薄くすることにより、ばねの固定を容易にしたことを特徴とした請求項１、２または３に記載のばね梱包体。
【請求項５】
テープの両端に固定紙片を設置したことを特徴とした請求項１，２，３または４に記載のばね梱包体。
【発明の詳細な説明】
【技術分野】
【０００１】  本発明は、絡みやすいコイルばね等のばね、特に長寸法のばねを縦糸に相当するテープに織り込むことにより、ばねの相互の絡みを防止するように構成したばね梱包体に関する。
【背景技術】
【０００２】  従来、コイルばね等のばねが隣接するものと絡みやすいことから、大量のばね特に長寸法のものを１個宛取り出し易くするため、樹脂トレイに１本ずつ収納したり、ナイロン袋に仕切りを入れて収納したり、２枚の樹脂フィルムの間に収納し接着したりする方法が取り入れられている。
【発明の開示】
【発明が解決しようとする課題】
【０００３】  これら梱包方法では、１本づつ収納すればばね同士の絡みはなくなるが、専用のトレイを製作したり、ばねの長さに応じたナイロン袋又は樹脂フィルムが必要となっている。そのため、ばねの種類に応じてナイロン袋や樹脂フィルムを常時在庫しておかねばならず、また、ばね製造後に熱処理が必要なばねがあるため、焼入れ後のばね残熱により梱包材料の樹脂を変形させるので、一定時間の冷却が不可欠となっている。そのため、梱包時間が長くなり、コストアップを招く等の欠点が生じている。【０００４】  本発明は、上記欠点の除去を目的とするもので、少なくとも３列のテープによりばねを織り込むようにして隣接するばねが絡まず、テープの在庫もばねの種類に関係なく僅かで済むばね梱包体を提供しようとするものである。
【課題を解決するための手段】
【０００５】  本発明は、テープを少なくとも３列に並べ、各々隣り合うテープによりばねを織り込み、これを交互に繰り返し、ばねをテープに織り込んだことを特徴とする。また、本発明は奇数列のテープに交互に折り目を付けてもよい。さらに、偶数列のテープ厚を奇数列のそれより薄くすることにより、ばねの固定を容易にしてもよい。その上、テープの両端に固定紙片を設置してもよい。
【発明の効果】
【０００６】  本発明は、テープを少なくとも３列に並べ、各々隣り合うテープによりばねを織り込み、これを交互に繰り返し、ばねをテープで梱包するように構成されているため、隣り合うばねが絡み合うことは皆無となるばかりか、隣接するテープを交互に拡げて構築される空間にばねを挿入することにより容易にばねの梱包ができる。また、梱包後のばねを収納する際にも、ばねの絡みは皆無となる。しかも、少なくとも３列のテープを複数箇所設けてその間隔を調整することにより、長寸法のばねにも簡単に対応でき、テープの在庫も最小限でよい。その上、テープを耐熱紙としておけば、熱処理後のばねの残熱による影響を受けることがないため、梱包時間を短縮することができる。
【発明を実施するための最良の形態】
【０００７】以下、図面に基づき本発明の実施態様の一例について説明する。図１および図２において、１５はばねの一例の長寸法ばね１０（以下、ばねという）に係るばね梱包体であり、所定幅で延びる奇数列の紙テープ１と偶数列の紙テープ２が３列を一組にしてばね１０の両端に並べられている。この３列の紙テープ１，２は、隣接のものとお互い隙間なく配置されており、その紙テープ１，２の始端は紙テープ固定部３ａで固定紙片３による接着、圧着（図示せず）、金属係止針（図示せず）による巻取りのいずれかの方法で固定されている。また、これら紙テープ間のピッチ間隔はばね１０の織り込み時にばね１０の長さに応じて調整され、色々な長さのばね（図示せず）に対応できるように構成されている。【０００８】  前記奇数列の紙テープ１の厚みは偶数列の紙テープ２よりも厚くなっており、しかもこの紙テープ１にはばね１０が係止される位置に裏面側と表面側に交互に突出する折り目が付けられている。この紙テープ１，２とばね１０とは、図３ないし図８に示すように織物の縦糸と同じ関係になり、偶数列の紙テープ２を奇数列の紙テープ１に対して拡げた状態で、折り目により形成される三角凹部１ａにばね１０が挿入される。その後、奇数列の紙テープ１と偶数列の紙テープ２をお互い反対方向に拡げることにより奇数列の紙テープの三角凹部１ｂで新たに構築される空間に次のばね１０が横糸と見立てられて挿入される。同様に、紙テープ１，２が交互に反対方向に拡げられることにより次々とばね１０が織り込まれて、隣接するばね１０と接触しないように、しかもその軸心方向の移動と回転とが規制されて一定位置に固定されるように構成されている。なお、紙テープ１の折り目は、紙テープ１を一定寸法づつ送る工程で形成されてもよい。また、実施例では紙テープ１，２は一組３列に限定されたものではなく、少なくとも３列あればよい。また、ばね１０の長さに応じて３個所以上に前記紙テープ１，２を設置してもよい。【０００９】  一定量のばね１０の織り込みが終わると、前記紙テープ１，２の終端が図９に示すように始端同様に紙テープ固定部４ｂで固定紙片４により固定され、図１０に示すばね梱包体１５が製造される。【００１０】  前記ばねが織り込まれて固定されたばね梱包体１５は、図１１に示すように段ボール箱２０に順次たたみこむよう構成されてもよいし、あるいは図１２に示すように円筒状に巻き取られるよう構成されてもよい。また、ばね梱包体１５はリール（図示せず）に巻き取られてもよい。【００１１】  実際のはね組立工程でばね１０を使用する時には、図１３および図１４に示すように固定紙片３，４のいずれかに固定された偶数列の紙テープ２を切り取り、必要本数の長さ相当分の紙テープ２を反対方向に抜き取ると、ばね１０は紙テープ１に対しての固定が解除され、開放状態にされる。そのため、ばね１０は隣接のものと絡むことなく一定間隔に配置された状態に保持され、簡単に取り出すことができる。また、ばね梱包体１５の中間で取り出し作業を中断する場合は、固定紙片３と同等なもの、あるいは板ばね（図示せず）で紙テープ１，２の切断部分を挟み込むことにより、残りのばね１０を継続して隣接のものと絡まないように保持で���る。【００１２】  本発明の他の実施態様を通常長さのばねについて説明する。図１６および図１７において、前記紙テープ１，２は５列に並べられており、前述の３列の紙テープの場合と同様に、その両端が固定紙片３，４による接着、あるいは圧着または金属係止針（図示せず）による巻取りで固定されている。また、前記奇数列の紙テープ１には、ばね１０が係止される位置に折り目が付けられており、しかもこの紙テープ１の厚みは偶数列の紙テープ２よりも厚くなっている。この奇数列の紙テープ１および偶数列の紙テープ２間には通常長さのばね１０が織り込まれるように梱包されて、ばね梱包体１５が形成される。このばね梱包体１５では、長寸法ばねと同様にばね１０を簡単に取り出すことができる。【００１３】  なお、実施例では、紙テープに限定されているが、ナイロン製あるいは樹脂製であってもよい。また、熱処理後のばねを取り扱う時には、テープを耐熱性のある紙テープとすれば、熱処理後のばね１０の残熱による影響を受けることがなく、ただちに梱包作業に入れ、梱包時間を短縮できる。
【図面の簡単な説明】
【００１４】
【図１】本発明の一例の長寸法ばねのばね梱包体の要部平面図である。
【図２】本発明に係る始端側の要部外観図である。
【図３】本発明に係る始端側での織り込み開始時の説明図である。
【図４】本発明に係る織り込み工程説明図（ａ）である。
【図５】本発明に係る織り込み工程説明図（ｂ）である。
【図６】本発明に係る織り込み工程説明図（ｃ）である。
【図７】本発明に係る織り込み工程説明図（ｄ）である。
【図８】本発明に係る織り込み工程説明図（ｅ）である。
【図９】本発明に係る終端側の要部外観図である。
【図１０】本発明に係るばねの梱包形態を示す一部を省力した側面図である。
【図１１】本発明に係るばねの収納状態を示す説明図である。
【図１２】本発明に係るばねの他の収納状態を示す説明図である。
【図１３】ばね取り出し時の説明図である。
【図１４】偶数列の紙テープを切り離した状態を示す説明図である。
【図１５】本発明の他の実施例を示す要部平面図である。
【図１６】図１５のＡ−Ａ断面図である。
【図１７】図１５のＢ−Ｂ断面図である。
【符号の説明】
【００１５】１，２  紙テープ
１ａ，１ｂ  三角凹部
３，４  固定紙片
３ａ，４ａ  紙テープ固定部
１０  ばね
１５  ばね梱包体
２０  段ボール箱
【図１】
2005053574.tif 000003
【図２】
2005053574.tif 000004
【図３】
2005053574.tif 000005
【図４】
2005053574.tif 000006
【図５】
2005053574.tif 000007
【図６】
2005053574.tif 000008
【図７】
2005053574.tif 000009
【図８】
2005053574.tif 000010
【図９】
2005053574.tif 000011
【図１０】
2005053574.tif 000012
【図１１】
2005053574.tif 000013
【図１２】
2005053574.tif 000014
【図１３】
2005053574.tif 000015
【図１４】
2005053574.tif 000016
【図１５】
2005053574.tif 000017
【図１６】
2005053574.tif 000018
【図１７】
2005053574.tif 000019